(57)【要約】      （修正有）【課題】中継器からこの中継器近傍の子器に起床報知情報を有線又は無線送信することで、親器で指定した時刻に子器の携帯者に対し高品質の起床報知を行えるようにする。【解決手段】起床時刻を設定するための起床時刻設定手段１３と、起床時刻設定手段１３で設定した起床時刻を含む制御情報を生成する制御手段１４とを有する親器１と、親器１に通信線１７を介して接続され、前記制御手段１４から送信された制御情報を受信し、この受信した制御情報を有線又は無線送信する有線又は無線送信部１９ａを備えた中継器２と、該中継器２の有線又は無線送信部１９ａから送信された前記制御情報を受信する受信部２０ａを有し、受信した前記制御情報にもとづき、前記設定された起床時刻に振動手段を駆動制御する振動制御手段とを有する子器と、を有する。【選択図】図１
0003131631.tif 000002
【実用新案登録請求の範囲】
【請求項１】
起床時刻を設定するための起床時刻設定手段と、該起床時刻設定手段で設定した起床時刻を含む制御情報を生成する制御手段とを有する親器と、
該親器に通信線を介して接続され、前記制御手段から送信された制御情報を受信し、この受信した制御情報を有線又は無線送信する有線又は無線送信部を備えた中継器と、
該中継器の有線又は無線送信部から送信された前記制御情報を受信する受信部を有し、受信した前記制御情報にもとづき、前記設定された起床時刻に振動手段を駆動制御する振動制御手段とを有する子器と、
を備えたことを特徴とする起床報知システム。
【請求項２】
前記中継器の有線又は無線通信部から制御情報を有線又は無線で受信する前記受信部が、ＩＣタグであることを特徴とする請求項１に記載の起床報知システム。
【請求項３】
前記子器は二次電池および子器側コネクタを有し、前記中継器は中継コネクタを有し、前記中継コネクタに子器側コネクタを接続したとき、前記中継器からまたは該中継器を介して前記親器から、前記二次電池に対して充電電力を供給可能にしたことを特徴とする請求項１に記載の起床報知システム。
【請求項４】
前記子器は、前記中継器を介して親機から送信された前記制御情報を記憶するメモリを備えたことを特徴とする請求項１に記載の起床報知システム。
【考案の詳細な説明】
【技術分野】
【０００１】
本考案は、早朝就業等のために仮眠または就寝している特定人に起床を促すための起床報知システムに関する。
【背景技術】
【０００２】
従来、マットレス、敷き布団等の寝具の下に空気袋を敷きこみ、この空気袋と送風機とを送風パイプにより連結した起床報知システムが提案されている。この起床報知システムによれば、ワーレンモータでマイクロスイッチをオン、オフすることにより、空気袋に一定時間間隔で送気して、空気袋の膨張、収縮を繰り返し行うことで、寝具上の仮眠者に起床通報をすることができる（例えば、特許文献１参照）。
【０００３】
これによれば、空気を利用して空気袋を繰り返し膨張、収縮させる構成を採用するため、システム構成が大掛かりになるほか携行に不便であり、空気袋には繰り返し動的なストレスが作用するため、強度劣化を免れ得ない。また、コスト高となって、一般への普及の妨げになっている。
【０００４】
これに対して、本出願人は、設定時刻に動作するタイムスイッチを持つ計時手段と、前記タイムスイッチの動作によって得られる信号を有線又は無線送信する送信手段と、この送信手段からの送信信号を受信する受信手段と、この受信手段とともに身体の一部に装着され、前記受信手段が受信した信号に基づいて振動を発生する振動手段と、を備える起床報知システムを提案している。
【０００５】
この起床報知システムでは、送信手段の送信電波が届くいずれの位置でも、設定時間になると振動手段を無線で作動させるために、この手段を携帯または装着している特定人のみに振動を感知させることができるとともに、システム構成を簡素化、ローコスト化でき、携行が可能になるという利点が得られる。
【特許文献１】実公昭４６‐３４４６０号公報
【考案の開示】
【考案が解決しようとする課題】
【０００６】
しかしながら、かかる従来の起床報知システムにあっては、設定時刻になると有線又は無線送信される電波が、周辺の鉄筋コンクリートのビルディングに遮られるなどして、受信手段側における電波の受信感度が不安定になり、従って前記振動手段の動作が不安定となって、起床報知を正しく行えなくなるという問題があった。
【０００７】
起床報知システムにあっては、これが起床を目的として用いられるため、受信状態の不安定による誤報知や無報知を避けることは、最重要課題である。
【０００８】
本考案は、前記のような従来の問題に着目してなされたものであり、起床報知を親器から中継器に有線（通信線）で行い、この中継器付近で使用され、この中継器に近接させた子器に前記起床報知の情報を格納することで、親器で設定（指定）した起床時刻に子器の携帯者（起床対象者）に対し起床報知を正確に行えるようにする起床報知システムを得ることを目的とする。
【課題を解決するための手段】
【０００９】
前記目的達成のために、本考案にかかる起床報知システムは、起床時刻を設定するための起床時刻設定手段と、該起床時刻設定手段で設定した起床時刻を含む制御情報を生成する制御手段とを有する親器と、該親器に通信線を介して接続され、前記制御手段から送信された制御情報を受信し、この受信した制御情報を有線又は無線送信する有線又は無線送信部を備えた中継器と、該中継器の有線又は無線送信部から送信された前記制御情報を受信する受信部を有し、受信した前記制御情報にもとづき、前記設定された起床時刻に振動手段を駆動制御する振動制御手段を有する子器と、を備えたことを特徴とする。
【００１０】
この構成により、親器は起床時刻設定手段で設定した起床時刻を含む制御情報を有線で中継器に送信するため、従来におけるようなビルディングによる電波障害発生の問題もなくなり、従って制御情報の品質劣化や不安定化を防止でき、制御情報の送信精度を高めることができる。また、中継器の有線又は無線送信部から送信される制御情報を子器の受信部にて受信することで、この制御情報中の起床時刻が到来したとき子器側の振動手段を駆動可能にし、子器の携帯者に起床を確実に促すことができる。
【００１１】
また、本考案にかかる起床報知システムは、前記中継器の無線通信部から制御情報を無線で受信する前記受信部が、ＩＣタグであることを特徴とする。
【００１２】
この構成により、子器を中継器に接触させまたは近接するのみで、親機からの制御情報を中継器を介して子器の受信部にて高感度かつ正確に無線受信可能にし、必要に応じてメモリ等に保存することができる。
【００１３】
また、本考案にかかる起床報知システムは、前記子器が二次電池および子器側コネクタを有し、前記中継器は中継コネクタを有し、前記中継コネクタに子器側コネクタを接続したとき、前記中継器からまたは該中継器を介して前記親器から、前記二次電池に対して充電電力を供給可能にしたことを特徴とする。
【００１４】
この構成により、中継コネクタに対する子器側コネクタの接続により、大容量の充電電力を子器側の二次電池に供給することができる。このため、子器側において起床報知のための制御処理および報知動作のための電力を十分に確保することができ、結果として起床報知動作を安定化できるとともに起床時刻の信頼性を高めることができる。
【００１５】
また、本考案にかかる起床報知システムは、前記子器が、前記中継器から送信された制御情報を記憶するメモリを備えることを特徴とする。
【００１６】
この構成により、親器にて設定された起床時刻情報をメモリに保持しておくことで、時計（計時手段）により計時された時刻がこのメモリに保持された起床時刻に一致したとき、直ちにかつ確実に振動手段による起床報知を開始することができる。
【考案の効果】
【００１７】
本考案によれば、起床時刻の報知を親器から中継器に有線又は無線で行い、この親器送信される起床時刻を含む制御情報を、中継器を介して子器で有線又は無線受信することで、子器で計時する時刻が、親器で指定した起床時刻になったときに、子器の携帯者に対し起床報知を確実に行わせることができるという効果が得られる。
【考案を実施するための最良の形態】
【００１８】
以下、本考案の実施形態による起床報知システムを、図面を参照しながら説明する。
【００１９】
本実施形態による起床報知システムは、基本的に、起床時刻を設定するための起床時刻設定手段と、該起床時刻設定手段で設定した起床時刻を含む制御情報を生成する制御手段とを有する親器と、該親器に通信線を介して接続され、前記制御手段から送信された制御情報を受信し、この受信した制御情報を有線又は無線送信する有線又は無線送信部を備えた中継器と、該中継器の有線又は無線送信部から送信された前記制御情報を受信する受信部を有し、受信した前記制御情報にもとづき、前記設定された起床時刻に振動手段を駆動制御する振動制御手段とを有する子器と、を備える構成である。
【００２０】
この起床報知システムでは、親器が起床時刻設定手段で設定した起床時刻を有線で中継器に送信するため、親器および中継器管で送信される起床時刻を含む制御情報の品質劣化を回避することができ、中継器における起床時刻の受信情報の信頼性が高くなる。一方、その制御情報は中継器から子器に有線又は無線送信され、中継器に近い位置で子器側に前記中継器からの起床時刻を取り込んで保持される。そして、前記起床時刻が到来すると、子器側の振動手段が駆動され、携帯者に起床を促す。
【００２１】
図１は、本実施形態による起床報知システムを示すブロック図、図２は、前記起床報知システムにおける子器の詳細を示すブロック図である。
【００２２】
図１において、この起床報知システムは、親器１、中継器２、子器３および標準電波受信手段４とから構成されている。子器３は、必要に応じて起床対象者数分、つまりこの子器３の携帯者数分用意される。
【００２３】
前記親器１は、電波時計手段１１と、起床時刻表示手段１２と、テンキーを含むキーボード部１３と、制御手段１４と、電源部１５と、充電部１６とを備えている。これらのうち、電波時計手段１１は標準電波送信所から送信される送信電波を前記電波時計受信手段（アンテナ部）４で受信し、電波時計の時刻を修正するように機能し、正確な現在時刻を図示しない表示部に表示する。
【００２４】
起床時刻表示手段１２は、起床時刻設定手段であるキーボード部１３によって入力および設定される起床時刻を表示するように機能する。この表示形態は７セグメント式などの周知の方法が採用可能である。なお、キーボード部１３は数字による時刻の入力のほか、起床対象者ごとの所属や氏名、あるいはＩＤ番号などを記号や文字を用いて入力することができる。
【００２５】
制御手段１４は、起床時刻表示手段１２等を含む親器１内の回路各部の動作を制御するように機能し、例えばキーボード部１３におけるキーボード操作によって起床時刻を起床時刻表示手段１２に表示させたり、この表示を変更したり、あるいは起床時刻をＩＤ番号対応で生成し、これを特定の個人対応の起床情報として外部へ、本実施形態では中継器２へ送信するように機能する。
【００２６】
電源部１５は、外部からのＡＣ電源（商用電源）を受けて、所定電圧値に変換する変圧器および交流／直流変換器としての整流回路等を備える。充電部１６は電源部１５から得られた整流出力の平滑回路等を含み、子器３が必要とするレベルの直流の充電電圧を出力する。
【００２７】
親器１に接続される中継器２は、前記制御手段１４が出力する制御情報中の起床時刻の情報を、通信線１７を介して受信するとともに、充電部１６が出力する充電電圧を、充電線１８を介して受ける。また、この中継器２は、起床時刻情報を有線又は接触子１９ａへ、また充電電圧を備え付けのコネクタ１９ｂの各接触子に、それぞれ供給するように機能する。
【００２８】
このコネクタ１９ｂは、親器１で得られた充電電圧を子器３に中継するように機能する。子器３は、中継器２のコネクタ１９ｂに接続されるコネクタ２０ｂと、有線又は接触子１９ａが有線又は無線送信した前記制御情報を受信する受信部２０ａとを備えている。
【００２９】
図１では、子器３側のコネクタ２０ｂおよび受信部２０ａがリストバンド２１の外側面に臨むように取り付けられている。このリストバンド２１は、一端がバンド通しリング２２に通して折り返され、ミシン縫いされ、他端部の２箇所には雄型および雌型のマジックファスナ（商品名）２３、２４がミシン縫いによって取り付けられている。そして、この他端がバンド通しリング２２に通された状態では、各マジックファスナ２３、２４が対向し、接合可能な関係になる。
【００３０】
前記リストバンド２１の使用に当たっては、このリストバンド２１のリング状部内に腕を通し、前記他端部のバンド通しリング２２からの引き出し量を調節した上で、各マジックファスナ２３、２４を接合すると、そのリストバンド２１を腕に簡単に装着することができる。
【００３１】
また、子器３は、図２に示すように、振動手段である振動モータ２５と、二次電池２６と、表示灯２７と、振動制御手段２８と、メモリ２９とを備えている。コネクタ２０ｂは、コネクタ１９ｂの各接触子（図示しない）に接続可能な接触子（図示しない）をそれぞれ有する。
【００３２】
子器３の振動手段である振動モータ２５は、計時された時刻が前記の起床時刻になると振動制御手段２８により駆動され、子器３本体およびこの子器３本体を取り付けているリストバンド２１などに振動を付与するように機能する。
【００３３】
二次電池２６は、コネクタ２０ｂをコネクタ１９ｂに接続した際に、親器１の充電部１６から充電線１８を介して中継器２に供給された電源用の電力を、それぞれの接触子を介して充電する。また、リストバンド２１を中継器２に接近させた場合には、中継器２の有線又は接触子１９ａから有線又は無線送信される起床時刻情報を含む制御情報を子器３側の受信部２０ａで受信し、これを振動制御手段２８に入力することができる。メモリ２９は、振動制御手段２８に入力された前記起床時刻情報を含む制御情報を記憶する。
【００３４】
表示灯２７は、二次電池２６の充電中に点灯して、充電の完了時や振動モータ２５の駆動時にブリンク状態になる。なお、二次電池２６としては、例えば単４形ニッケル水素電池などを用いることができる。
【００３５】
振動制御手段２８は、前述のように、親器１の充電部１６から供給された電力を、中継器２を介して二次電池２２に充電させるとともに、制御手段１４から中継器２を介して子器３に入力される起床時刻情報をメモリ２９に記憶させる。そして、内臓の時計（図示省略）がその起床時刻を検出すると、振動モータ２５に駆動電力を供給するように機能する。
【００３６】
前記においては、親器１の充電部１６から中継器２を介して子器３に充電電力を供給する場合を述べたが、中継器２に充電部を設けて、この充電部から子器３に充電電力を供給するようにしてもよい。
【００３７】
なお、複数の起床対象者ごとに異なる起床時間を決めて起床通報を行う場合には、起床対象者ごとに予め設定されているＩＤごとの起床時間を、前述の通り親器１側にて指定する。これにより、指定された時間になると、子器側において指定されたＩＤの起床対象者に対してのみ選択的に起床通報を行うことができる。
【００３８】
また、子器３は、起床対象者の身体、例えば腕や脚に直接的にまたはバンドなどを用いて装着されるため、振動モータ２５や二次電池２６などともに、小型、軽量であることが望ましい。また、振動制御手段２８を、受信部２０ａおよび起床時刻およびＩＤ情報を格納するメモリ２９とともにＩＣタグとして小形化することで、リストバンド等の装身具や衣類の一部にも簡単に取り付けることができる。
【００３９】
この場合には、非接触での無線通信やメモリ２９内のデータの書き替えが可能になり、さらに外部環境の影響を受けに難いくい（耐久性が優れる）などのメリットを生かすことができる。
【００４０】
このような構成になる起床通報システムにあっては、起床対象者が親器１の管理者側からＩＤ登録した子器３を持ったリストバンド２１の貸与を受ける。管理者は、親器１側において複数の起床対象者ごとにＩＤ対応で起床時刻を決定し、起床時刻表示手段１２を参照しながら、起床時刻設定手段であるキーボード部１３から入力する。
【００４１】
この起床時刻の設定に当たっては、電波時計手段１１において標準電波で修正された正確な現在時刻の表示を参照する。
【００４２】
このようにして親器１側で入力された各ＩＤと、このＩＤ対応の起床時刻が通信線１７を介して中継器２に供給される。この通信線１７を通じて起床時刻情報を供給することにより、その起床時刻情報の内容を正確に中継器２へ送信することができる。
【００４３】
一方、各起床対象者は管理者から貸与されたリストバンド２１を中継器２の近傍にかざす。これにより、中継器２へ送信された起床時刻情報が接触子１９ａから子器３の受信部２０ａに有線受信され、この起床時刻情報が各起床対象者対応のＩＤごとに、親器１で指定（設定）された各子器３のメモリ２９に格納される。
【００４４】
また、子器３は時計（図示しない）により計時を行っており、計時時刻がメモリ２９に記憶されている起床時刻になると、振動制御手段２４は駆動信号を出力し、振動モータ２１を駆動する。これにより、この子器３を身体の一部に装着している起床対象者は、その振動を受けて速やかに覚醒が促される。
【００４５】
また、子器３を持つリストバンド２１のコネクタ２０ｂを、中継器２のコネクタ１９ｂに接続することで、親器１の充電部１６から充電線１８を介して中継器２に供給された充電電力は、子器３内の振動制御手段２８を含む回路各部に供給される。この充電電力はバッテリ電圧とは異なり、十分な容量を持つ電力源から供給できるため、振動モータ２１の動作の信頼性を高めることができる。
【００４６】
このように、本実施形態による起床報知システムは、親機１に、起床時刻を設定するための起床時刻設定手段１３と、この起床時刻設定手段１３で設定した起床時刻を含む制御情報を生成する制御手段１４とを設け、中継器２に、親器１に通信線１７を介して接続され、前記制御手段１４から送信された制御情報を受信し、この受信した制御情報を有線送信する接触子１９ａを設け、子器３に、中継器２の接触子１９ａから送信された制御情報を受信する受信部２０ａを有し、受信した制御情報にもとづき、前記設定された起床時刻に振動手段２５を駆動制御する振動制御手段２８を設けた構成である。
【００４７】
従って、親器１は起床時刻設定手段１３で設定した起床時刻を含む制御情報を有線で中継器２に送信するため、従来におけるようなビルディングによる電波傷害発生の問題もなくなり、従って制御情報の品質劣化や不安定化を防止でき、制御情報の送信精度を高めることができる。また、中継器２の接触子１９ａから送信される制御情報を子器３の受信部２０ａにて受信することで、この制御情報中の起床時刻が到来したとき子器３側の振動手段２５を駆動させて、子器３の携帯者に起床を確実に促すことができる。
【産業上の利用可能性】
【００４８】
本考案の起床報知システムは、親器で指定した起床報知時刻を中継器の付近で子器の携帯者に対し誤りなく報知することができるという効果を有し、早朝就業等のために仮眠または就寝している特定人に確実に起床を促すための起床報知システム等に有用である。
【図面の簡単な説明】
【００４９】
【図１】本考案の実施形態による起床報知システムを示すブロック図である。
【図２】図１に示す起床報知システムの子器の詳細を示すブロック図である。
【符号の説明】
【００５０】
１…親器，２…中継器，３…子器，４…標準電波受信手段，１１…電波時計手段，１２…起床時刻表示手段，１３…キーボード（起床時刻設定手段），１４…制御手段，１５…電源部，１６…充電部，１７…通信線，１８…充電線，１９ａ…接触子，１９ｂ…中継コネクタ，２０ａ…受信部，２０ｂ…子器側コネクタ，２５…振動モータ（振動手段），２６…バッテリ，２７…発光ダイオード，２８…振動制御手段，２９…メモリ
【図１】
0003131631.tif 000003
【図２】
0003131631.tif 000004